(57)【要約】      （修正有）【課題】蓄電設備の容量増大を招くことなく系統周波数を安定的に制御する。【解決手段】再生可能エネルギー利用発電設備及び蓄電設備が少なくとも接続されて負荷設備に電力を供給する電力系統の周波数制御方法であって、電力系統１０の上位に位置する需給制御システム４０が、系統周波数と前記各設備から送信された情報とに基づいて再生可能エネルギー利用発電設備Ｇｂ１〜Ｇｂｎ及び蓄電設備Ｂａ１〜Ｂａｎの出力を制御して系統周波数を制御する負荷周波数制御と、蓄電設備Ｂａ１〜Ｂａｎが、系統周波数に基づいて自己の出力を制御して系統周波数を制御するローカル制御と、を実行可能である周波数制御方法において、系統周波数が規定範囲内にあるときは負荷周波数制御のみによって系統周波数を制御し、系統周波数が前記規定範囲を逸脱したときは負荷周波数制御及びローカル制御によって系統周波数を制御する。【選択図】図３
2015198526.tif 000002
【特許請求の範囲】
【請求項１】
再生可能エネルギー利用発電設備及び蓄電設備が少なくとも接続されて負荷設備に電力を供給する電力系統の周波数制御方法であって、
前記電力系統の上位に位置する需給制御システムが、系統周波数と前記各設備から送信された情報とに基づいて前記再生可能エネルギー利用発電設備及び前記蓄電設備の出力を制御することにより系統周波数を制御する負荷周波数制御と、
前記蓄電設備が、系統周波数に基づいて自己の出力を制御することにより系統周波数を制御するローカル制御と、
を実行可能である周波数制御方法において、
前記系統周波数が規定範囲内にあるときは前記負荷周波数制御のみによって前記系統周波数を制御し、前記系統周波数が前記規定範囲を逸脱したときは前記負荷周波数制御及び前記ローカル制御によって前記系統周波数を制御することを特徴とする、電力系統における周波数制御方法。
【請求項２】
再生可能エネルギー利用発電設備及び蓄電設備が少なくとも接続されて負荷設備に電力を供給する電力系統の周波数制御システムであって、
前記電力系統の上位に位置する需給制御システムが、系統周波数と前記各設備から送信された情報とに基づいて前記再生可能エネルギー利用発電設備及び前記蓄電設備の出力を制御することにより系統周波数を制御する負荷周波数制御と、
前記蓄電設備が、系統周波数に基づいて自己の出力を制御することにより系統周波数を制御するローカル制御と、
を実行可能である周波数制御システムにおいて、
前記系統周波数の変動に関わらず前記負荷周波数制御を常に有効とする手段と、
前記系統周波数が規定範囲内にあることを検出して前記ローカル制御を無効とし、前記系統周波数が前記規定範囲を逸脱したことを検出して前記ローカル制御を有効とする手段と、
を備えたことを特徴とする、電力系統における周波数制御システム。
【請求項３】
請求項２に記載した周波数制御システムにおいて、
前記系統周波数を検出する周波数検出手段と、
前記系統周波数から得た検出周波数と基準周波数との偏差を算出する手段と、
前記偏差がゼロになるように前記蓄電設備に対する出力指令を生成する手段と、
を備え、
前記周波数検出手段は、
前記系統周波数が規定範囲内にあることを検出したときに前記検出周波数として前記基準周波数を出力することにより前記偏差をゼロにし、前記系統周波数が前記規定範囲を逸脱したことを検出したときに前記検出周波数として前記系統周波数をそのまま出力して前記偏差を有限の値にすることを特徴とする、電力系統における周波数制御システム。
【発明の詳細な説明】
【技術分野】
【０００１】
本発明は、電力系統の周波数を安定的に制御する周波数制御方法及び周波数制御システムに関し、詳しくは、各種の再生可能エネルギー利用発電設備、蓄電設備、負荷設備等を備え、特に、特定の狭い地域に適用されるマイクログリッドやスマートグリッド等の中小規模の電力系統に適用して好適な制御方法及び制御システムに関するものである。
【背景技術】
【０００２】
近年、太陽光発電設備や風力発電設備など、出力の安定的な制御が困難な再生可能エネルギー利用発電設備が積極的に導入されており、わが国においては、２０２０年で２８００万［ｋＷ］の太陽光発電設備、４９０万［ｋＷ］の風力発電設備が導入される計画となっている。しかし、これらの再生可能エネルギーを利用した発電量は天候に支配されるので、出力が不安定（不確定）であるという課題がある。
電力系統においては、発電電力と負荷電力との需給バランスが釣り合っていなければならないが、上述した再生可能エネルギー利用発電設備を電力系統に連系すると、発電電力と負荷電力との需給バランスが崩れてしまい、系統周波数の変動により、最悪の場合は電力系統の運用が停止される事態を招く。
【０００３】
通常、系統周波数の制御は、短い周期の周波数変動に対しては、発電機単独で行われるガバナフリー運転が担い、これよりも周期の長い周波数変動に対しては、中央給電指令所からの出力制御が担っている。中央給電指令所からの出力制御としては、定周波数制御や周波数偏倚連系線電力制御等によるＬＦＣ（負荷周波数制御）が行われており、このＬＦＣは、一つの電力会社管内の大規模な系統であって、再生可能エネルギー利用発電設備がほとんど導入されていない場合に有効な制御方法として知られている。
【０００４】
ここで、特許文献１では、ＬＦＣ容量を確保するために、電力系統の周波数制御に蓄電設備を活用することが試みられている。
図６は、特許文献１に記載された周波数制御装置を示している。図６において、周波数制御装置２００内の周波数検出手段２０３は、電力系統１００の周波数ｆを検出する。電力系統１００には蓄電設備として複数の二次電池３０１が接続されており、それぞれの充電深度が充電深度検出手段２０１により検出されて充電深度補正手段２０２に入力されている。
周波数偏差演算手段２０４は、基準周波数と系統周波数ｆとの偏差Δｆを演算して充電深度補正手段２０２及び充放電制御手段２０５に送出する。充放電制御手段２０５は、二次電池３０１の充電深度が例えば５０［％］になるように、充電深度補正手段２０２にて生成された充電深度補正信号と周波数偏差Δｆとに基づいて二次電池３０１の充放電を制御し、周波数偏差Δｆをなくすように系統周波数を制御している。
【０００５】
この従来技術によれば、電力需給に不均衡が発生して系統周波数が変動した場合でも、二次電池の充電深度を所定値に維持しながらその充放電を制御することにより、発電機Ｇの出力の自動制御に代えてＬＦＣを実現し、系統周波数の変動を抑制している。  
【０００６】
また、特許文献２には、マイクログリッドを対象として周波数の安定性を向上させるようにしたＬＦＣ及び経済負荷配分制御（ＥＤＣ）に関する従来技術が開示されている。
図７は、この従来技術を示すものであり、４００はマイクログリッド内系統制御装置、５００はマイクログリッド、５０１は他の電力系統、６０１は内燃力発電設備、６０２は二次電池等の電力貯蔵設備、Ｇ１は太陽光発電設備、Ｇ２は風力発電設備、７００は負荷である。また、マイクログリッド内系統制御装置４００は、電力の需給予測を行う予測機能４０１、実績データベース４０２、需給計画４０３、経済負荷配分制御装置４０４、及び負荷周波数制御装置４０５を備えている。
【０００７】
この従来技術では、負荷周波数制御装置４０５において、図８に示すように基準周波数ｆ０と系統周波数ｆとの偏差に定数Ｋを乗じ、更に連系線潮流変化量ΔＰＴとの加減算により地域要求量（ＡＲ）を算出する。そして、この地域要求量を、複数の配分手段４１０により、複数の電力貯蔵設備６０２と出力応答速度（低速，高速）に応じた複数の内燃力発電設備６０１とに配分してＬＦＣ指令を生成している。
【０００８】
この従来技術では、地域要求量の周波数変動を各種フィルタにより除去した後に、図７の経済負荷配分制御装置４０４が演算した比率や内燃力発電設備６０１と電力貯蔵設備６０２との容量比などに従って複数設備に配分することにより、マイクログリッドにおける周波数安定性を向上させている。
【先行技術文献】
【特許文献】
【０００９】
【特許文献１】特開２０１２−１６０７７号公報（段落［００２４］〜［００２７］、図１等）
【特許文献２】特開２０１１−１１４８９９号公報（段落［００１５］〜［００２５］、図１，図４等）
【発明の概要】
【発明が解決しようとする課題】
【００１０】
しかしながら、特定の狭い地域にて電力の発生、消費を行うマイクログリッドやスマートグリッド等の中小規模の電力系統であって、再生可能エネルギー利用発電設備が大量に導入されている系統では、これらの発電設備の出力変動が相対的に大きくなること、その変動周期は従来の変動周期に比べて相対的に短くなること、及び、発電設備の慣性モーメントが大規模系統に比べて小さいこと、などの理由から、対象系統内の周波数を的確に制御することは困難である。
【００１１】
中小規模の電力系統において周波数を的確に制御する方法としては、例えば特許文献２における電力貯蔵設備６０２等の蓄電設備を高速に制御することが考えられる。つまり、蓄電設備自身が対象系統内の周波数ｆを検出し、基準周波数ｆ０との偏差をゼロにするように蓄電設備の出力を高速に制御するものである（以下、このような周波数制御をローカル制御という）。
しかし、ローカル制御を行うと、その高速性によってローカル制御のみで周波数変動を抑制してしまうことになり、既設のＬＦＣとの協調を図ることができない。すなわち、ローカル制御のみで周波数制御を行う場合には、蓄電設備として非常に大きな容量が要求されるようになり、設備が大型かつ高価なものになるという問題があった。
【００１２】
そこで、本発明の解決課題は、再生可能エネルギー利用発電設備が中小規模の電力系統に大量に導入された状態においても、ＬＦＣとローカル制御とを協調させて蓄電設備の容量を低減し、しかも系統周波数を安定的に制御可能とした周波数制御方法及び周波数制御装置を提供することにある。
【課題を解決するための手段】
【００１３】
上記課題を解決するために、請求項１に係る周波数制御方法は、再生可能エネルギー利用発電設備及び蓄電設備が少なくとも接続されて負荷設備に電力を供給する電力系統の周波数制御方法であって、
前記電力系統の上位に位置する需給制御システムが、系統周波数と前記各設備から送信された情報とに基づいて前記再生可能エネルギー利用発電設備及び前記蓄電設備の出力を制御することにより系統周波数を制御する負荷周波数制御と、
前記蓄電設備が、系統周波数に基づいて自己の出力を制御することにより系統周波数を制御するローカル制御と、
を実行可能である周波数制御方法において、
前記系統周波数が規定範囲内にあるときは前記負荷周波数制御のみによって前記系統周波数を制御し、前記系統周波数が前記規定範囲を逸脱したときは前記負荷周波数制御及び前記ローカル制御によって前記系統周波数を制御するものである。
【００１４】
請求項２に係る周波数制御システムは、再生可能エネルギー利用発電設備及び蓄電設備が少なくとも接続されて負荷設備に電力を供給する電力系統の周波数制御システムであって、
前記電力系統の上位に位置する需給制御システムが、系統周波数と前記各設備から送信された情報とに基づいて前記再生可能エネルギー利用発電設備及び前記蓄電設備の出力を制御することにより系統周波数を制御する負荷周波数制御と、
前記蓄電設備が、系統周波数に基づいて自己の出力を制御することにより系統周波数を制御するローカル制御と、
を実行可能である周波数制御システムにおいて、
前記系統周波数の変動に関わらず前記負荷周波数制御を常に有効とする手段と、
前記系統周波数が規定範囲内にあることを検出して前記ローカル制御を無効とし、前記系統周波数が前記規定範囲を逸脱したことを検出して前記ローカル制御を有効とする手段と、を備えたものである。
【００１５】
請求項３に係る周波数制御システムは、請求項２において、
前記系統周波数を検出する周波数検出手段と、
前記系統周波数から得た検出周波数と基準周波数との偏差を算出する手段と、
前記偏差がゼロになるように前記蓄電設備に対する出力指令を生成する手段と、を備え、
前記周波数検出手段は、
前記系統周波数が規定範囲内にあることを検出したときに前記検出周波数として前記基準周波数を出力することにより前記偏差をゼロにし、前記系統周波数が前記規定範囲を逸脱したことを検出したときに前記検出周波数として前記系統周波数をそのまま出力して前記偏差を有限の値にするものである。
【発明の効果】
【００１６】
本発明によれば、再生可能エネルギー利用発電設備が大量に導入されたマイクログリッドやスマートグリッド等、中小規模の電力系統において、ローカル制御の高速応答性を活用することにより、ＬＦＣとローカル制御との協調によって蓄電設備の容量を低減しつつ系統周波数を安定的に制御することができる。
【図面の簡単な説明】
【００１７】
【図１】本発明の実施形態が適用される電力系統の構成図である。
【図２】図１の電力系統における周波数制御の概念図である。
【図３】ローカル制御の処理を示すフローチャートである。
【図４】ローカル制御のブロック図である。
【図５】ＬＦＣの処理を示すフローチャートである。
【図６】特許文献１に記載された従来技術の構成図である。
【図７】特許文献２に記載された従来技術の構成図である。
【図８】図７の負荷周波数制御装置における主要部のブロック図である。
【発明を実施するための形態】
【００１８】
以下、図に沿って本発明の実施形態を説明する。
まず、図１は、この実施形態が適用される系統構成を示しており、１０はマイクログリッドやスマートグリッド等の中小規模の電力系統である。この電力系統１０には、出力電力を調整可能な内燃力発電設備Ｇａ１，Ｇａ２，・・・，Ｇａｎ、二次電池等の蓄電設備Ｂａ１，Ｂａ２，・・・，Ｂａｎ、太陽光発電設備や風力発電設備等の再生可能エネルギー利用発電設備Ｇｂ１，Ｇｂ２，・・・，Ｇｂｎ、及び、電力を消費する負荷設備Ｌ１，Ｌ２，・・・，Ｌｎが接続されている。
【００１９】
ここで、再生可能エネルギー利用発電設備Ｇｂ１，Ｇｂ２，・・・，Ｇｂｎはその出力が天候に左右されるため不安定であり、系統周波数を変動させる原因となる。この実施形態では、系統周波数を安定させるために、内燃力発電設備Ｇａ１，Ｇａ２，・・・，Ｇａｎ及び蓄電設備Ｂａ１，Ｂａ２，・・・，Ｂａｎを対象として周波数制御を行う。
なお、本発明が適用される電力系統としては、少なくとも再生可能エネルギー利用発電設備、蓄電設備、及び負荷設備が接続されていれば良く、内燃力発電設備は必ずしも必須の構成要件ではない。
【００２０】
図１における内燃力発電設備Ｇａ１，Ｇａ２，・・・，Ｇａｎ、蓄電設備Ｂａ１，Ｂａ２，・・・，Ｂａｎ、再生可能エネルギー利用発電設備Ｇｂ１，Ｇｂ２，・・・，Ｇｂｎ、及び、負荷設備Ｌ１，Ｌ２，・・・，Ｌｎは、電力ケーブル２１を介して電力系統１０に接続されていると共に、通信ケーブル２２により通信ネットワーク３０に接続されている。
また、通信ネットワーク３０には、通信ケーブル２２を介して上位システムとしての需給制御システム４０が接続されている。この需給制御システム４０は、ＬＦＣを行うために、電力系統１０の周波数ｆを検出すると共に、内燃力発電設備Ｇａ１，Ｇａ２，・・・，Ｇａｎから送信される現時点の出力電力や蓄電設備Ｂａ１，Ｂａ２，・・・，Ｂａｎから送信される現時点の蓄電量などを通信ネットワーク３０を介して受信し、これらの受信情報を用いて各設備の出力を制御するべく各種指令を送信する。同時に、需給制御システム４０は、再生可能エネルギー利用発電設備Ｇｂ１，Ｇｂ２，・・・，Ｇｂｎの出力電力や負荷設備Ｌ１，Ｌ２，・・・，Ｌｎの消費電力等の情報を受信し、系統全体の需給バランスを制御している。
【００２１】
需給制御システム４０は、ＬＦＣを１〜３秒程度の周期によって実行することにより系統周波数を制御する。このＬＦＣでは、需給制御システム４０が電力系統１０の周波数ｆを検出し、基準周波数（５０［Ｈｚ］または６０［Ｈｚ］）ｆ０と検出周波数との偏差Δｆに基づいて地域要求量（ＡＲ）を算出すると共に、この地域要求量を所定の配分比に従って配分することにより内燃力発電設備Ｇａ１，Ｇａ２，・・・，Ｇａｎや蓄電設備Ｂａ１，Ｂａ２，・・・，Ｂａｎの出力を決定し、指令として出力するものである。
【００２２】
また、蓄電設備Ｂａ１，Ｂａ２，・・・，Ｂａｎは、需給制御システム４０からの出力指令の他に、蓄電設備自身が系統周波数ｆを検出して蓄電設備Ｂａ１，Ｂａ２，・・・，Ｂａｎの出力を制御するローカル制御機能を備えている。すなわち、蓄電設備Ｂａ１，Ｂａ２，・・・，Ｂａｎの出力をインバータにより制御すれば高速に出力電力の制御が可能であることを利用し、需給制御システム４０によるＬＦＣの制御周期（１〜３秒）よりも短時間、例えば数十〜数百［ｍｓ］程度の制御周期により、蓄電設備Ｂａ１，Ｂａ２，・・・，Ｂａｎの出力を高速にローカル制御する。
【００２３】
図２は、図１の電力系統１０における周波数制御の概念図であり、系統周波数の時間推移と周波数制御の内容とを対応させて示したものである。ここでは、基準周波数ｆ０を６０．０［Ｈｚ］とし、周波数規定範囲を５９．８［Ｈｚ］（不感帯下限値）〜６０．２［Ｈｚ］（不感帯下限値）として系統周波数ｆを制御する。なお、これらの基準周波数及び周波数規定範囲はあくまで一例であり、本発明がこの例に限定されないことは言うまでもない。
【００２４】
図２に示すように、この実施形態において、ＬＦＣは系統周波数ｆの大きさに関わらず常に動作させる（有効とする）一方で、ローカル制御は、系統周波数ｆが周波数規定範囲内にあるときは停止し（無効とし）、規定範囲を逸脱した場合に動作させる（有効とする）。すなわち、図２において、時間帯Ｔａ，Ｔｃ，Ｔｅでは系統周波数ｆが規定範囲の５９．８［Ｈｚ］〜６０．２［Ｈｚ］に入っているので、ローカル制御を停止し、ＬＦＣのみで系統周波数を制御する。また、時間帯Ｔｂでは系統周波数ｆが規定範囲の下限値である５９．８［Ｈｚ］を下回っているので、ローカル制御を動作させ、時間帯Ｔｄでは系統周波数ｆが規定範囲の上限値である６０．２［Ｈｚ］を上回っているので、ローカル制御を動作させる。
【００２５】
上記のように、周波数偏差Δｆを是正するための周波数制御に際し、系統周波数ｆの大きさに応じて蓄電設備Ｂａ１，Ｂａ２，・・・，Ｂａｎによるローカル制御を動作／停止させれば、常に蓄電設備Ｂａ１，Ｂａ２，・・・，Ｂａｎのみで系統周波数ｆを制御するような事態を避けることができる。
従って、ＬＦＣとローカル制御とを協調させながら系統周波数ｆの変動を抑制することが可能になり、系統周波数ｆの変動を吸収するために蓄電設備の容量のみを増大させる必要がないので、設備の大型化や高価格化を招くおそれもない。
【００２６】
次に、図３はローカル制御の処理を示すフローチャートである。
ローカル制御においては、最初に系統周波数ｆを検出し（ステップＳ１）、次に系統周波数ｆが周波数規定範囲内に収まっているか否かを判断する（ステップＳ２）。系統周波数ｆが規定範囲内に収まっている場合は、ローカル制御を停止して終了する（ステップＳ２ Ｙｅｓ，Ｓ３）。系統周波数ｆが規定範囲を逸脱している場合は、ローカル制御を動作させて終了する（ステップＳ２ Ｎｏ，Ｓ４）。
【００２７】
ローカル制御の具体的な動作としては、例えば、図４に示すごとく、周波数偏差ΔｆをゼロとするようにＰＩ制御を行えば良い。
図４は、ローカル制御のブロック図である。図４において、５１は系統周波数ｆに応じた検出周波数を出力する周波数検出器、５２は基準周波数ｆ０と検出周波数との偏差Δｆを求める減算手段、５３は周波数偏差Δｆが入力される比例演算要素、５４は周波数偏差Δｆが入力される積分演算要素、５５は比例演算要素５３と積分演算要素５４との出力を加算して蓄電設備Ｂａ１，Ｂａ２，・・・，Ｂａｎに対する出力指令を生成する加算手段である。
【００２８】
周波数検出器５１は、系統周波数ｆとその規定範囲との大小関係を判断して以下のように動作する。
・系統周波数ｆ＞不感帯上限値のとき、検出周波数として系統周波数ｆを出力する。
・不感帯下限値≦系統周波数ｆ≦不感帯上限値のとき、検出周波数として基準周波数ｆ０を出力する。
・系統周波数ｆ＜不感帯下限値のとき、検出周波数として系統周波数ｆを出力する。
【００２９】
すなわち、系統周波数ｆが規定範囲を逸脱している場合は、検出周波数として系統周波数ｆをそのまま出力することにより、基準周波数ｆ０と系統周波数ｆとの偏差Δｆが有限な値になり、図４に示したＰＩ制御により偏差Δｆがゼロになるように蓄電設備Ｂａ１，Ｂａ２，・・・，Ｂａｎに対する出力指令が生成される。
また、系統周波数ｆが規定範囲内に収まっている場合は、検出周波数として基準周波数ｆ０を出力することによって偏差Δｆはゼロとなり、蓄電設備Ｂａ１，Ｂａ２，・・・，Ｂａｎへの出力指令はゼロになる。これは、ローカル制御機能が停止していることを意味する。
【００３０】
次いで、図５はＬＦＣの処理を示すフローチャートである。
ＬＦＣにおいては、ローカル制御と同様に最初に系統周波数ｆを検出し（ステップＳ１１）、次に、周波数偏差Δｆを求めて地域要求量（ＡＲ）を算出する（ステップＳ１２）。ここでは、ＡＲを以下のように定義する。
ＡＲ［ｋＷ］＝−系統定数［％ｋＷ／Ｈｚ］×系統容量［ｋＷ］×周波数偏差Δｆ［Ｈｚ］
最後に、求めた地域要求量に基づき、各設備の容量比などの所定のロジックに従って内燃力発電設備Ｇａ１，Ｇａ２，・・・，Ｇａｎ及び蓄電設備Ｂａ１，Ｂａ２，・・・，Ｂａｎの出力配分を計算して指令を生成し（ステップＳ１３）、処理を終了する。
【産業上の利用可能性】
【００３１】
本発明は、大量の再生可能エネルギー利用発電設備が連系されることにより系統周波数が変動する恐れのある各種の電力系統において、系統周波数を安定的に制御するために利用可能である。
【符号の説明】
【００３２】
１０：電力系統
２１：電力ケーブル
２２：通信ケーブル
３０：通信ネットワーク
４０：需給制御システム
５１：周波数検出器
５２：減算手段
５３：比例演算要素
５４：積分演算要素
５５：加算手段
Ｇａ１〜Ｇａｎ：内燃力発電設備
Ｂａ１〜Ｂａｎ：蓄電設備
Ｇｂ１〜Ｇｂｎ：再生可能エネルギー利用発電設備
Ｌ１〜Ｌｎ：負荷設備
【図１】
2015198526.tif 000003
【図２】
2015198526.tif 000004
【図３】
2015198526.tif 000005
【図４】
2015198526.tif 000006
【図５】
2015198526.tif 000007
【図６】
2015198526.tif 000008
【図７】
2015198526.tif 000009
【図８】
2015198526.tif 000010